(57)【要約】【課題】印刷物の基準濃度の変更に対して容易且つ迅速に対応し、印刷物の色を高精度に予測する。【解決手段】プロファイル作成装置２４において、基準濃度条件で印刷したカラーチャートＣ１の基準分光反射率と、Ｃ、Ｍ、Ｙ、Ｋの１つの色の濃度を変更する一方、他の色の濃度を基準濃度に固定して印刷した各色のカラーチャートＣ１の分光反射率との差分量を求めておき、濃度変動量が設定されたとき、前記基準分光反射率と、濃度を変更した色に係る前記差分量とを加算した分光反射率を用いて印刷予測プロファイル２０を作成し、この印刷予測プロファイル２０を用いて、所望の色の濃度を変更した際の印刷物における色を高精度に予測する。【選択図】図１
2008312198.tif 000002
【特許請求の範囲】
【請求項１】
印刷機を用いて作成される印刷物の色を予測する印刷色予測方法において、
基準濃度の印刷物を得ることのできる基準濃度条件を印刷機に設定して基準カラーチャートを作成し、前記基準カラーチャートを測定して基準測定値を求めるとともに、前記印刷物を作成するための各インキの濃度をそれぞれ所定量だけ単独に変動させる一方、変動させた当該インキを除く他のインキの濃度を前記基準濃度条件で固定した変動カラーチャートを作成し、前記変動カラーチャートを測定して変動測定値を求めておき、前記各インキに前記基準濃度に対する所望の濃度変動量が設定されたとき、前記基準測定値と、前記濃度変動量が設定された当該インキに対する当該変動測定値との差分量を用いて前記基準測定値を調整し、前記基準カラーチャートを作成するデータと、調整された前記基準測定値との関係に基づき、前記濃度変動量を設定した前記印刷物の色を予測することを特徴とする印刷色予測方法。
【請求項２】
請求項１記載の方法において、
前記基準測定値は、前記各インキに対する前記差分量を加算して調整されることを特徴とする印刷色予測方法。
【請求項３】
請求項１記載の方法において、
前記基準測定値は、前記各インキに対する前記差分量を前記濃度変動量に従って補間し、その補間値を加算して調整されることを特徴とする印刷色予測方法。
【請求項４】
請求項１記載の方法において、
前記基準測定値及び前記変動測定値は、分光反射率であることを特徴とする印刷色予測方法。
【請求項５】
請求項１記載の方法において、
前記基準測定値及び前記変動測定値は、分光濃度であることを特徴とする印刷色予測方法。
【請求項６】
請求項１記載の方法において、
前記基準測定値及び前記変動測定値は、測色濃度であることを特徴とする印刷色予測方法。
【請求項７】
請求項１記載の方法において、
前記基準測定値及び前記変動測定値は、測色値であることを特徴とする印刷色予測方法。
【請求項８】
印刷機を用いて作成される印刷物の色を予測する印刷色予測システムにおいて、
基準濃度の印刷物を得ることのできる基準濃度条件を印刷機に設定して作成される基準カラーチャートと、前記印刷物を作成するための各インキの濃度をそれぞれ所定量だけ単独に変動させる一方、変動させた当該インキを除く他のインキの濃度を前記基準濃度条件で固定して作成される変動カラーチャートとを測定する測定器と、
前記基準カラーチャートを測定して得た基準測定値を記憶するとともに、前記変動カラーチャートを測定して得た変動測定値、又は、前記基準測定値と前記各インキに対する前記変動測定値との差分量を記憶する測定値記憶部と、
前記各インキの前記基準濃度に対する濃度変動量を設定する濃度変動量設定部と、
前記濃度変動量が設定された当該インキに対する当該差分量を用いて前記基準測定値を調整し、前記基準カラーチャートを作成するデータと、調整された前記基準測定値との関係に基づき、印刷予測プロファイルを作成する印刷予測プロファイル作成部と、
を備え、前記印刷予測プロファイルを用いて前記濃度変動量を与えた前記印刷物の色を予測することを特徴とする印刷色予測システム。
【請求項９】
請求項８記載のシステムにおいて、
前記印刷予測プロファイルを用いて算出された前記印刷物の色予測値を出力装置の出力データに変換する出力プロファイルを有し、前記出力プロファイルを用いて前記出力装置により前記印刷物のプルーフを出力することを特徴とする印刷色予測システム。
【請求項１０】
請求項８記載のシステムにおいて、
前記印刷予測プロファイル作成部は、前記基準測定値と、前記濃度変動量が設定された当該インキに対する当該変動測定値との差分量を演算する差分量演算部を有し、前記基準測定値は、前記各インキに対する前記差分量を加算して調整されることを特徴とする印刷色予測システム。
【請求項１１】
請求項８記載のシステムにおいて、
前記基準測定値は、前記各インキに対する前記差分量を前記濃度変動量に従って補間し、その補間値を加算して調整されることを特徴とする印刷色予測システム。
【請求項１２】
請求項８記載のシステムにおいて、
前記基準測定値及び前記変動測定値は、分光反射率であることを特徴とする印刷色予測システム。
【請求項１３】
請求項８記載のシステムにおいて、
前記基準測定値及び前記変動測定値は、分光濃度であることを特徴とする印刷色予測システム。
【請求項１４】
請求項８記載のシステムにおいて、
前記基準測定値及び前記変動測定値は、測色濃度であることを特徴とする印刷色予測システム。
【請求項１５】
請求項８記載のシステムにおいて、
前記基準測定値及び前記変動測定値は、測色値であることを特徴とする印刷色予測システム。
【請求項１６】
請求項８記載のシステムにおいて、
前記印刷予測プロファイル作成部は、前記印刷物に使用する印刷用紙の色情報に基づき、前記印刷予測プロファイルを修正することを特徴とする印刷色予測システム。
【請求項１７】
請求項８記載のシステムにおいて、
前記印刷予測プロファイル作成部は、前記印刷機のドットゲインの変動前後の前記基準測定値の変化に基づき、前記印刷予測プロファイルを修正することを特徴とする印刷色予測システム。
【請求項１８】
請求項８記載のシステムにおいて、
前記印刷予測プロファイル作成部は、前記印刷物を作成するインキの変更前後の前記基準測定値の変化に基づき、前記印刷予測プロファイルを修正することを特徴とする印刷色予測システム。
【発明の詳細な説明】
【技術分野】
【０００１】
本発明は、印刷機を用いて作成される印刷物の色を予測する印刷色予測方法及び予測システムに関する。
【背景技術】
【０００２】
印刷物は、例えば、Ｃ、Ｍ、Ｙ、Ｋの各色毎のフイルム原版を作成し、各フイルム原版からＰＳ版（Ｐｒｅｓｅｎｓｉｔｉｚｅｄ  Ｐｌａｔｅ）を焼き付けて現像した後、これらのＰＳ版を輪転機等の印刷機に装着し、印圧、湿し水、温度等の印刷条件を調整して作成される。
【０００３】
このように、印刷物は、複雑な工程を経て作成されている。従って、所望の色からなる印刷物を得るため、印刷物の作成に先立ち、カラープリンタ等の簡便な出力装置を用いてプルーフを作成し、そのプルーフを確認して印刷条件を調整する作業が行われる。
【０００４】
例えば、特許文献１には、印刷機とカラープリンタ等の出力装置とでぞれぞれカラーチャートを作成して測色し、Ｃ、Ｍ、Ｙ、Ｋの各インキの網点％と測色値との対応関係を表すＩＣＣ（Ｉｎｔｅｒｎａｔｉｏｎａｌ  Ｃｏｌｏｒ  Ｃｏｎｓｏｒｔｉｕｍ）プロファイルを求め、このＩＣＣプロファイルを用いて印刷物のプルーフを作成する方法が開示されている。この場合、印刷物の濃度は、通常、ユーザである印刷会社等がべた画像（網点％が１００％の画像）の濃度を基準濃度として規定しており、この基準濃度が得られるように、印刷機におけるインキの膜厚等の印刷条件が調整される。
【０００５】
【特許文献１】特開２００６−１２８７６０号公報
【発明の開示】
【発明が解決しようとする課題】
【０００６】
ところで、印刷物の基準濃度は、その印刷物を所望するユーザによって異なる場合があり、この基準濃度を変更するときには、カラーチャートを再度印刷してＩＣＣプロファイルを作成し直さなければならない。この場合、新たな基準濃度に応じて、多数の色パッチからなるカラーチャートを印刷して測色しなければならないため、その処理に多大な時間を要してしまう。
【０００７】
本発明は、前記の不具合を解消するためになされたものであり、印刷物の基準濃度の変更に対して容易且つ迅速に対応し、印刷物の色を高精度に予測することのできる印刷色予測方法及び予測システムを提供することを目的とする。
【課題を解決するための手段】
【０００８】
本発明の印刷色予測方法は、印刷機を用いて作成される印刷物の色を予測する印刷色予測方法において、
基準濃度の印刷物を得ることのできる基準濃度条件を印刷機に設定して基準カラーチャートを作成し、前記基準カラーチャートを測定して基準測定値を求めるとともに、前記印刷物を作成するための各インキの濃度をそれぞれ所定量だけ単独に変動させる一方、変動させた当該インキを除く他のインキの濃度を前記基準濃度条件で固定した変動カラーチャートを作成し、前記変動カラーチャートを測定して変動測定値を求めておき、前記各インキに前記基準濃度に対する所望の濃度変動量が設定されたとき、前記基準測定値と、前記濃度変動量が設定された当該インキに対する当該変動測定値との差分量を用いて前記基準測定値を調整し、前記基準カラーチャートを作成するデータと、調整された前記基準測定値との関係に基づき、前記濃度変動量を設定した前記印刷物の色を予測することを特徴とする。
【０００９】
また、本発明の印刷色予測システムは、印刷機を用いて作成される印刷物の色を予測する印刷色予測システムにおいて、
基準濃度の印刷物を得ることのできる基準濃度条件を印刷機に設定して作成される基準カラーチャートと、前記印刷物を作成するための各インキの濃度をそれぞれ所定量だけ単独に変動させる一方、変動させた当該インキを除く他のインキの濃度を前記基準濃度条件で固定して作成される変動カラーチャートとを測定する測定器と、
前記基準カラーチャートを測定して得た基準測定値を記憶するとともに、前記変動カラーチャートを測定して得た変動測定値、又は、前記基準測定値と前記各インキに対する前記変動測定値との差分量を記憶する測定値記憶部と、
前記各インキの前記基準濃度に対する濃度変動量を設定する濃度変動量設定部と、
前記濃度変動量が設定された当該インキに対する当該差分量を用いて前記基準測定値を調整し、前記基準カラーチャートを作成するデータと、調整された前記基準測定値との関係に基づき、印刷予測プロファイルを作成する印刷予測プロファイル作成部と、
を備え、前記印刷予測プロファイルを用いて前記濃度変動量を与えた前記印刷物の色を予測することを特徴とする。
【発明の効果】
【００１０】
本発明の印刷色予測方法及び予測システムでは、印刷物の基準濃度を変更した際、必要最小限のカラーチャートを測定して得た測定値を用いて、変更された基準濃度に対する印刷予測プロファイルを容易且つ迅速に作成し、この印刷予測プロファイルを用いて印刷物の色を高精度に予測することができる。
【発明を実施するための最良の形態】
【００１１】
図１は、本実施形態の印刷色予測システム１０を示す。印刷色予測システム１０は、Ｃ、Ｍ、Ｙ、Ｋの各色を制御する画像データＣ１、Ｍ１、Ｙ１、Ｋ１を編集する編集装置１２と、編集された画像データＣ１、Ｍ１、Ｙ１、Ｋ１を用いて印刷物Ｐ１を作成する印刷機１４と、画像データＣ１、Ｍ１、Ｙ１、Ｋ１を、色予測するための画像データＣ２、Ｍ２、Ｙ２、Ｋ２に変換する色変換装置１６と、画像データＣ２、Ｍ２、Ｙ２、Ｋ２を用いて印刷物Ｐ１のプルーフＰ２を作成するプリンタ１８と、色変換装置１６に組み込まれる印刷予測プロファイル２０及びプリンタプロファイル２２を作成するプロファイル作成装置２４とを備える。
【００１２】
印刷予測プロファイル２０は、印刷機１４によって作成される印刷物Ｐ１のデバイスに依存しない測色値、例えば、測色値Ｘ、Ｙ、Ｚ又は測色値Ｌ*、ａ*、ｂ*を予測するためのプロファイルであり、既知の画像データＣ、Ｍ、Ｙ、Ｋと、この画像データＣ、Ｍ、Ｙ、Ｋから印刷機１４を用いて作成されたカラーチャートＣ１の測定値とに基づいて、プロファイル作成装置２４により作成される。
【００１３】
プリンタプロファイル２２は、印刷予測プロファイル２０によって予測された印刷物Ｐ１のデバイスに依存しない測色値、例えば、測色値Ｘ、Ｙ、Ｚ又は測色値Ｌ*、ａ*、ｂ*を、プリンタ１８の出力特性に依存する画像データＣ、Ｍ、Ｙ、Ｋに変換するためのプロファイルであり、既知の画像データＣ、Ｍ、Ｙ、Ｋと、この画像データＣ、Ｍ、Ｙ、Ｋからプリンタ１８を用いて作成されたカラーチャートＣ２の測定値とに基づいて、プロファイル作成装置２４により作成される。
【００１４】
図２は、プロファイル作成装置２４の構成を示す。プロファイル作成装置２４は、カラーチャートＣ１の分光反射率を測定する分光反射率測定器２６と、印刷機１４を基準濃度が得られる条件（基準濃度条件）に設定し、作成されたカラーチャートＣ１（基準カラーチャート）を分光反射率測定器２６を用いて測定することで得られた基準分光反射率（基準測定値）を記憶する基準分光反射率記憶部２８と、前記基準濃度を変動させて作成されたカラーチャートＣ１（変動カラーチャート）を分光反射率測定器２６を用いて測定することで得られた濃度変動時分光反射率（変動測定値）を記憶する濃度変動時分光反射率記憶部３０とを備える。
【００１５】
ここで、基準濃度条件とは、Ｃ、Ｍ、Ｙ、Ｋの各インキに対する網点％を１００％に設定して印刷物Ｐ１を作成した際、その印刷物Ｐ１（べた画像）の濃度がユーザである印刷会社等で規定している基準濃度となるように、印刷機１４の印圧等の印刷条件を調整する条件である。
【００１６】
また、プロファイル作成装置２４は、基準分光反射率と濃度変動時分光反射率との差分量を演算する分光反射率差分量演算部３２と、演算された分光反射率差分量を記憶する分光反射率差分量記憶部３４と、Ｃ、Ｍ、Ｙ、Ｋの各色の前記基準濃度をユーザが所望する目標濃度に変更するための濃度変動量を設定する濃度変動量設定部３６と、基準分光反射率、分光反射率差分量及び濃度変動量を用いて、目標濃度を得ることのできる目標分光反射率を演算する目標分光反射率演算部３８と、目標分光反射率を用いて印刷予測プロファイル２０を作成する印刷予測プロファイル作成部４０とを備える。
【００１７】
さらに、プロファイル作成装置２４は、プリンタ１８により作成したカラーチャートＣ２の測色値、例えば、測色値Ｘ、Ｙ、Ｚ又は測色値Ｌ*、ａ*、ｂ*を測定する測色計４２と、測定された測色値を用いてプリンタプロファイル２２を作成するプリンタプロファイル作成部４４とを備える。
【００１８】
本実施形態の印刷色予測システム１０は、基本的には以上のように構成されるものであり、次に、この印刷色予測システム１０を用いた印刷色予測方法につき、図３に示すフローチャートに基づいて説明する。
【００１９】
先ず、編集装置１２から既知の画像データＣ１、Ｍ１、Ｙ１、Ｋ１を印刷機１４に供給し、印刷機１４を基準濃度条件に設定してカラーチャートＣ１を印刷する（ステップＳ１）。この場合、０％〜１００％の範囲における所定の間隔で画像データＣ１、Ｍ１、Ｙ１、Ｋ１の各網点％を設定し、複数のカラーパッチからなるカラーチャートＣ１を作成する。なお、印刷機１４の基準濃度条件は、網点％が１００％に設定されたＣ、Ｍ、Ｙ、Ｋの各インキによって作成されるカラーパッチの濃度（べた濃度）がユーザの規定する基準濃度となるように設定される。
【００２０】
基準濃度条件に設定された印刷機１４により作成されたカラーチャートＣ１の各カラーパッチは、分光反射率測定器２６によって分光反射率が測定され（ステップＳ２）、その分光反射率が基準分光反射率として基準分光反射率記憶部２８に記憶される（ステップＳ３）。
【００２１】
次いで、印刷機１４の基準濃度条件を所定の濃度変動条件に変更し、カラーチャートＣ１を作成した場合と同一の画像データＣ１、Ｍ１、Ｙ１、Ｋ１を用いて、カラーチャートＣ１を印刷する（ステップＳ４）。この場合、印刷機１４の濃度変動条件は、網点％が１００％に設定されたＣ、Ｍ、Ｙ、Ｋの各インキによって作成されるカラーパッチの濃度（べた濃度）を、各インキ毎に単独に変動させる一方、変動させた当該インキを除く他のインキの濃度を基準濃度条件に固定することにより、基準濃度条件での基準濃度に対して、例えば、光学濃度で−０．２、−０．１、＋０．１、＋０．２となるように設定される。従って、これらの濃度変動条件に従って作成されるカラーチャートＣ１は、１００％のＣ、Ｍ、Ｙ、Ｋの各色を、基準濃度−０．２、基準濃度−０．１、基準濃度＋０．１、基準濃度＋０．２に設定した１６枚となる。
【００２２】
濃度変動条件に従い印刷機１４により作成されたカラーチャートＣ１の各カラーパッチは、分光反射率測定器２６によって分光反射率が測定され（ステップＳ５）、その分光反射率が濃度変動時分光反射率として濃度変動時分光反射率記憶部３０に記憶される（ステップＳ６）。
【００２３】
ここで、例えば、Ｃ１００％のみからなるカラーパッチの基準濃度条件での分光反射率をＲC(std)、Ｍ１００％のみからなるカラーパッチの基準濃度条件での分光反射率をＲM(std)、Ｃ１００％のみからなるカラーパッチの所定の濃度変動条件での濃度変動時分光反射率を（ＲC(std)＋ΔＲC）、Ｍ１００％のみからなるカラーパッチの所定の濃度変動条件での濃度変動時分光反射率を（ＲM(std)＋ΔＲM）とすると、Ｃ１００％且つＭ１００％の網点％からなるカラーパッチを所定の濃度変動条件で作成したときの分光反射率ＲCMは、
ＲCM＝（ＲC(std)＋ΔＲC）・（ＲM(std)＋ΔＲM）
＝ＲC(std)・ＲM(std)
＋｛ＲM(std)・（ＲC(std)＋ΔＲC）−ＲC(std)・ＲM(std)｝
＋｛ＲC(std)・（ＲM(std)＋ΔＲM）−ＲC(std)・ＲM(std)｝
＋ΔＲC・ΔＲM                                          …（１）
と表すことができる。この場合、（１）式の右辺第４項を微小量として０とみなすと、右辺第１項は、Ｃ１００％且つＭ１００％の網点％からなるカラーパッチを基準濃度条件で作成したときの基準分光反射率を表し、右辺第２項は、Ｃ１００％且つＭ１００％の網点％からなるカラーパッチのＣ１００％のみの濃度を所定の濃度変動条件で変動させたときの変動分光反射率の前記基準濃度条件からの差分量を表し、右辺第３項は、Ｃ１００％且つＭ１００％の網点％からなるカラーパッチのＭ１００％のみの濃度を所定の濃度変動条件で変動させたときの変動分光反射率の前記基準濃度条件からの差分量を表している。
【００２４】
従って、Ｃ及びＭの両方の色の濃度を変動させたときの分光反射率ＲCMは、Ｃ又はＭの一方の濃度を固定した状態で他方の濃度を変動させたときの各差分量を、基準濃度条件での基準分光反射率ＲC(std)・ＲM(std)に加算して求めることができる。
【００２５】
図４は、基準濃度条件で作成されたＣ１００％且つＭ１００％の網点％からなるカラーパッチの分光反射率ＲCM(std)と、Ｃ１００％を基準濃度に固定し、Ｍ１００％のみを（基準濃度−０．１）に変更した濃度変動条件で作成したカラーパッチの分光反射率ＲCM(M-0.1)と、Ｍ１００％を基準濃度に固定し、Ｃ１００％のみを（基準濃度−０．１）に変更した濃度変動条件で作成したカラーパッチの分光反射率ＲCM(C-0.1)と、Ｃ１００％及びＭ１００％をともに（基準濃度−０．１）に変更した濃度変動条件で作成したカラーパッチの分光反射率ＲCM(ALL-0.1)との測定結果を示す。
【００２６】
また、図５は、基準濃度条件で作成されたＣ１００％且つＭ１００％の網点％からなるカラーパッチの分光反射率ＲCM(std)と、Ｃ１００％を基準濃度に固定し、Ｍ１００％のみを（基準濃度＋０．１）に変更した濃度変動条件で作成したカラーパッチの分光反射率ＲCM(M+0.1)と、Ｍ１００％を基準濃度に固定し、Ｃ１００％のみを（基準濃度＋０．１）に変更した濃度変動条件で作成したカラーパッチの分光反射率ＲCM(C+0.1)と、Ｃ１００％及びＭ１００％をともに（基準濃度＋０．１）に変更した濃度変動条件で作成したカラーパッチの分光反射率ＲCM(ALL+0.1)との測定結果を示す。
【００２７】
この場合、分光反射率ＲCM(ALL-0.1)は、
ＲCM(ALL-0.1)＝ＲCM(std)＋（ＲCM(C-0.1)−ＲCM(std)）
＋（ＲCM(M-0.1)−ＲCM(std)）
として、分光反射率ＲCM(ALL+0.1)は、
ＲCM(ALL+0.1)＝ＲCM(std)＋（ＲCM(C+0.1)−ＲCM(std)）
＋（ＲCM(M+0.1)−ＲCM(std)）
として近似的に求められることが了解できる。
【００２８】
以上の結果から、所望の濃度変動条件でＣ、Ｍ、Ｙ、Ｋを任意の濃度に変動させたときの目標とする濃度変動時分光反射率である目標分光反射率Ｒは、基準分光反射率をＲstd、Ｃのみの濃度を変動させたときの分光反射率差分量をＲΔC、Ｍのみの濃度を変動させたときの分光反射率差分量をＲΔM、Ｙのみの濃度を変動させたときの分光反射率差分量をＲΔY、Ｋのみの濃度を変動させたときの分光反射率差分量をＲΔKとすると、（１）式から、
Ｒ＝Ｒstd＋ＲΔC＋ＲΔM＋ＲΔY＋ＲΔK                          …（２）
として近似的に求めることができる。
【００２９】
そこで、分光反射率差分量演算部３２は、基準分光反射率記憶部２８に記憶された各カラーパッチの基準分光反射率Ｒstdと、濃度変動時分光反射率記憶部３０に記憶された対応する各カラーパッチの濃度変動時分光反射率との差分量を濃度変動条件毎に演算し（ステップＳ７）、各濃度変動条件における各差分量を分光反射率差分量ＲΔC、ＲΔM、ＲΔY、ＲΔKとして分光反射率差分量記憶部３４に記憶させる（ステップＳ８）。
【００３０】
以上の準備処理が終了した後、基準濃度条件を任意の濃度変動条件に変更したときの印刷予測プロファイル２０を作成する。
【００３１】
濃度変動量設定部３６を用いて、Ｃ、Ｍ、Ｙ、Ｋの各色に対する所望の濃度変動量が設定されると（ステップＳ９）、目標分光反射率演算部３８は、基準分光反射率記憶部２８に記憶されている基準分光反射率Ｒstdと、分光反射率差分量記憶部３４に記憶されている分光反射率差分量ＲΔC、ＲΔM、ＲΔY、ＲΔKとを用い、（２）式に従って目標分光反射率Ｒを演算する（ステップＳ１０）。
【００３２】
この場合、例えば、Ｃの基準濃度のみを設定した濃度変動量だけ変更するときには、設定した濃度変動量に対応する分光反射率差分量ＲΔCのみを基準分光反射率Ｒstdに加算し、他の分光反射率差分量ＲΔM、ＲΔY、ＲΔKを０として目標分光反射率Ｒを演算する。また、Ｃ及びＭの基準濃度をそれぞれ設定した濃度変動量だけ変更するときには、設定した各濃度変動量に対応する分光反射率差分量ＲΔC及びＲΔMを基準分光反射率Ｒstdに加算し、他の分光反射率差分量ＲΔY、ＲΔKを０として目標分光反射率Ｒを演算する。
【００３３】
ここで、Ｃ、Ｍ、Ｙ、Ｋの４色全ての基準濃度をそれぞれ設定した濃度変動量だけ変更した場合には、（２）式に従って目標分光反射率Ｒを演算することができる。しかしながら、例えば、目標分光反射率Ｒを演算するための対象となるカラーパッチがＣ、Ｍ、Ｙの３色からなる場合、分光反射率差分量ＲΔKは、Ｋの濃度変更に関係なく理想的には０となるはずであるが、実際には、印刷や測定のばらつき等の影響により、０にならない場合がある。
【００３４】
そこで、Ｃ、Ｍ、Ｙ、Ｋの４色全ての基準濃度をそれぞれ設定した濃度変動量だけ変更した場合においても、目標分光反射率Ｒを演算するための対象となるカラーパッチがＣ、Ｍ、Ｙの３色からなる場合には、分光反射率差分量ＲΔKを０に設定して目標分光反射率Ｒを演算することが望ましい。同様に、目標分光反射率Ｒを演算するための対象となるカラーパッチがＣ、Ｍの２色からなる場合は、分光反射率差分量ＲΔY、ＲΔKを０に設定して目標分光反射率Ｒを演算することが望ましい。
【００３５】
なお、分光反射率差分量ＲΔC、ＲΔM、ＲΔY、ＲΔKが、基準濃度条件のときの濃度に対して、例えば、光学濃度で−０．２、−０．１、＋０．１、＋０．２となるように調整された濃度変動条件に基づいて作成されており、設定された濃度変動量が＋０．１５であるとき、濃度変動量が＋０．１の分光反射率差分量ＲΔC、ＲΔM、ＲΔY、ＲΔKと、濃度変動量が＋０．２の分光反射率差分量ＲΔC、ＲΔM、ＲΔY、ＲΔKとを補間することで、濃度変動量が＋０．１５に対する分光反射率差分量ＲΔC、ＲΔM、ＲΔY、ＲΔKを求めることができる。補間方法としては、線形補間、スプライン補間、多項式近似等、周知の方法を用いることができる。
【００３６】
次いで、印刷予測プロファイル作成部４０は、以上のようにして求められた目標分光反射率Ｒから、例えば、測色値Ｘ、Ｙ、Ｚ又は測色値Ｌ*、ａ*、ｂ*を演算し（ステップＳ１１）、この測色値Ｘ、Ｙ、Ｚ又は測色値Ｌ*、ａ*、ｂ*と、カラーチャートＣ１の作成に使用した画像データＣ１、Ｍ１、Ｙ１、Ｋ１との関係である印刷予測プロファイル２０を作成する（ステップＳ１２）。所望の濃度変動量に応じて作成された印刷予測プロファイル２０は、色変換装置１６に設定される。
【００３７】
一方、色変換装置１６から画像データＣ２、Ｍ２、Ｙ２、Ｋ２をプリンタ１８に供給し、カラーチャートＣ１を印刷する場合（ステップＳ１）と同様にして、複数のカラーパッチからなるカラーチャートＣ２を記録媒体上に出力する（図６、ステップＳ２１）。
【００３８】
出力されたカラーチャートＣ２の各カラーパッチは、測色計４２によって測色値、例えば、測色値Ｘ、Ｙ、Ｚ又は測色値Ｌ*、ａ*、ｂ*が測定される（ステップＳ２２）。そして、測定された測色値Ｘ、Ｙ、Ｚ又は測色値Ｌ*、ａ*、ｂ*と、カラーチャートＣ２の作成に使用した画像データＣ２、Ｍ２、Ｙ２、Ｋ２との関係であるプリンタプロファイル２２を作成する（ステップＳ２３）。作成されたプリンタプロファイル２２は、色変換装置１６に設定される。なお、プリンタプロファイル２２は、濃度変動条件に依存しないため、プリンタ１８の条件が変わらない限り、一度設定するだけでよい。
【００３９】
以上のようにして印刷予測プロファイル２０及びプリンタプロファイル２２を設定した後、所望の画像データＣ１、Ｍ１、Ｙ１、Ｋ１から得られる印刷物Ｐ１に対するプルーフＰ２を作成する。
【００４０】
編集装置１２は、所望の画像データＣ１、Ｍ１、Ｙ１、Ｋ１を作成し、色変換装置１６に供給する（図７、ステップＳ３１）。色変換装置１６では、印刷予測プロファイル２０を用いて、画像データＣ１、Ｍ１、Ｙ１、Ｋ１がデバイスに依存しない測色値、例えば、測色値Ｘ、Ｙ、Ｚ又は測色値Ｌ*、ａ*、ｂ*に変換される（ステップＳ３２）。この場合、印刷予測プロファイル２０は、Ｃ、Ｍ、Ｙ、Ｋの各色が、１００％の網点％において所望の目標濃度となるように調整されている。
【００４１】
次いで、測色値Ｘ、Ｙ、Ｚ又は測色値Ｌ*、ａ*、ｂ*は、プリンタプロファイル２２によってプリンタ１８の出力特性に依存した画像データＣ２、Ｍ２、Ｙ２、Ｋ２に変換され（ステップＳ３３）、この画像データＣ２、Ｍ２、Ｙ２、Ｋ２を用いてプルーフＰ２が作成される（ステップＳ３４）。
【００４２】
なお、印刷予測プロファイル２０及びプリンタプロファイル２２を１つのプロファイルに合成し、このプロファイルを用いて画像データＣ１、Ｍ１、Ｙ１、Ｋ１から直接、画像データＣ２、Ｍ２、Ｙ２、Ｋ２を求めるようにしてもよい。
【００４３】
また、図８に示す構成からなるプロファイル作成装置４６を用いて、印刷予測プロファイル２０及びプリンタプロファイル２２を作成するようにしてもよい。なお、図８において、図２に示すプロファイル作成装置２４と同一の構成要素には、同一の参照符号を付し、その説明を省略する。
【００４４】
プロファイル作成装置４６は、印刷されたカラーチャートＣ１の分光濃度を測定する分光濃度計４８を備える。分光濃度計４８は、基準濃度条件で作成されたカラーチャートＣ１の分光濃度である基準分光濃度を測定し、その基準分光濃度が基準分光濃度記憶部５０に記憶される。また、分光濃度計４８は、所定の濃度変動条件で作成されたカラーチャートＣ１の分光濃度である濃度変動時分光濃度を測定し、その濃度変動時分光濃度が濃度変動時分光濃度記憶部５２に記憶される。
【００４５】
分光濃度差分量演算部５４は、基準分光濃度記憶部５０に記憶された各カラーパッチの基準分光濃度と、濃度変動時分光濃度記憶部５２に記憶された対応する各カラーパッチの濃度変動時分光濃度との差分量を濃度変動条件毎に演算し、各差分量を分光濃度差分量記憶部５６に記憶させる。
【００４６】
濃度変動量設定部３６によって、Ｃ、Ｍ、Ｙ、Ｋの各色の網点％が１００％のときの濃度変動量が設定されると、目標分光濃度演算部５８は、基準分光濃度と分光濃度差分量とを用いて目標分光濃度を演算する。なお、濃度変動量設定部３６で設定された濃度変動量が濃度変動条件に基づく濃度変動量と異なる場合には、分光濃度差分量記憶部５６に記憶されている濃度変動量に対応した分光濃度差分量を補間した補間値を用いて目標分光濃度を演算すればよい。
【００４７】
次いで、印刷予測プロファイル作成部４０は、目標分光濃度から測色値Ｘ、Ｙ、Ｚ、測色値Ｌ*、ａ*、ｂ*等の測色値を演算し、印刷予測プロファイル２０を作成する。
【００４８】
ここで、例えば、Ｃ１００％のみからなるカラーパッチの基準濃度条件での分光濃度をＤC(std)、Ｍ１００％のみからなるカラーパッチの基準濃度条件での分光濃度をＤM(std)、Ｃ１００％のみからなるカラーパッチの所定の濃度変動条件での濃度変動時分光濃度を（ＤC(std)＋ΔＤC）、Ｍ１００％のみからなるカラーパッチの所定の濃度変動条件での濃度変動時分光濃度を（ＤM(std)＋ΔＤM）とすると、Ｃ１００％且つＭ１００％の網点％からなるカラーパッチを所定の濃度変動条件で作成したときの分光濃度ＤCMは、
ＤCM＝（ＤC(std)＋ΔＤC）＋（ＤM(std)＋ΔＤM）
＝（ＤC(std)＋ＤM(std)）
＋［｛（ＤC(std)＋ＤM(std)）＋ΔＤC｝−（ＤC(std)＋ＤM(std)）］
＋［｛（ＤC(std)＋ＤM(std)）＋ΔＤM｝−（ＤC(std)＋ＤM(std)）］
…（３）
と表すことができる。この場合、（３）式の右辺第１項は、Ｃ１００％且つＭ１００％の網点％からなるカラーパッチを基準濃度条件で作成したときの基準分光濃度を表し、右辺第２項は、Ｃ１００％且つＭ１００％の網点％からなるカラーパッチのＣ１００％のみの濃度を所定の濃度変動条件で変動させたときの変動分光濃度の前記基準濃度条件からの差分量を表し、右辺第３項は、Ｃ１００％且つＭ１００％の網点％からなるカラーパッチのＭ１００％のみの濃度を所定の濃度変動条件で変動させたときの変動分光濃度の前記基準濃度条件からの差分量を表している。
【００４９】
従って、Ｃ及びＭの両方の色の濃度を変動させたときの分光濃度ＤCMは、分光反射率ＲCMの場合と同様に、Ｃ又はＭの一方の濃度を固定した状態で他方の濃度を変動させたときの差分量を、基準濃度条件での基準分光濃度（ＤC(std)＋ＤM(std)）に加算して算出することができる。しかも、分光反射率ＲCMを求める（１）式と異なり、誤差となるΔＲC・ΔＲMの項がないため、分光濃度ＤCMを高精度に求めることができる。
【００５０】
この結果、プロファイル作成装置４６において、所望の濃度変動条件でＣ、Ｍ、Ｙ、Ｋを任意の濃度に変動させたときの目標とする濃度変動時分光濃度である目標分光濃度Ｄは、基準分光濃度をＤstd、Ｃのみの濃度を変動させたときの分光濃度差分量をＤΔC、Ｍのみの濃度を変動させたときの分光濃度差分量をＤΔM、Ｙのみの濃度を変動させたときの分光濃度差分量をＤΔY、Ｋのみの濃度を変動させたときの分光濃度差分量をＤΔKとして、（３）式から、
Ｄ＝Ｄstd＋ＤΔC＋ＤΔM＋ＤΔY＋ＤΔK                          …（４）
として高精度に求めることができる。
【００５１】
なお、目標分光濃度Ｄを演算するための対象となるカラーパッチがＣ、Ｍ、Ｙの３色からなる場合には、分光濃度差分量ＤΔKを０に設定して目標分光濃度Ｄを演算することが望ましい。同様に、目標分光濃度Ｄを演算するための対象となるカラーパッチがＣ、Ｍの２色からなる場合は、分光濃度差分量ＤΔY、ＤΔKを０に設定して目標分光濃度Ｄを演算することが望ましい。
【００５２】
図９は、図８に示す分光濃度計４８に代えて、測色濃度計６０を用いたプロファイル作成装置６２の構成を示す。なお、図９において、図８に示すプロファイル作成装置４６と同一の構成要素には、同一の参照符号を付し、その説明を省略する。
【００５３】
測色濃度計６０は、基準濃度条件で作成されたカラーチャートＣ１の基準測色濃度を測定し、その基準測色濃度が基準測色濃度記憶部６４に記憶される。また、測色濃度計６０は、所定の濃度変動条件で作成されたカラーチャートＣ１の測色濃度である濃度変動時測色濃度を測定し、その濃度変動時測色濃度が濃度変動時測色濃度記憶部６６に記憶される。
【００５４】
測色濃度差分量演算部６８は、基準測色濃度記憶部６４に記憶された各カラーパッチの基準測色濃度と、濃度変動時測色濃度記憶部６６に記憶された対応する各カラーパッチの濃度変動時測色濃度との差分量を濃度変動条件毎に演算し、各差分量を測色濃度差分量記憶部７０に記憶させる。
【００５５】
濃度変動量設定部３６によって、Ｃ、Ｍ、Ｙ、Ｋの各色の網点％が１００％のときの濃度変動量が設定されると、目標測色濃度演算部７２は、基準測色濃度と測色濃度差分量とを用いて目標測色濃度を演算する。なお、濃度変動量設定部３６で設定された濃度変動量が濃度変動条件に基づく濃度変動量と異なる場合には、測色濃度差分量記憶部７０に記憶されている濃度変動量に対応した測色濃度差分量を補間した補間値を用いて目標測色濃度を演算すればよい。
【００５６】
次いで、印刷予測プロファイル作成部４０は、目標測色濃度から三刺激値Ｘ、Ｙ、Ｚ等の測色値を演算し、印刷予測プロファイル２０を作成する。
【００５７】
図１０は、図８に示す分光濃度計４８に代えて、測色計７４を用いたプロファイル作成装置７６の構成を示す。なお、図１０において、図８に示すプロファイル作成装置４６と同一の構成要素には、同一の参照符号を付し、その説明を省略する。
【００５８】
測色計７４は、基準濃度条件で作成されたカラーチャートＣ１の測色値、例えば、測色値Ｘ、Ｙ、Ｚ又は測色値Ｌ*、ａ*、ｂ*を測定し、その基準測色値が基準測色値記憶部７８に記憶される。また、測色計７４は、所定の濃度変動条件で作成されたカラーチャートＣ１の測色値である濃度変動時測色値を測定し、その濃度変動時測色値が濃度変動時測色値記憶部８０に記憶される。
【００５９】
測色値差分量演算部８２は、基準測色値記憶部７８に記憶された各カラーパッチの基準測色値と、濃度変動時測色値記憶部８０に記憶された対応する各カラーパッチの濃度変動時測色値との差分量を濃度変動条件毎に演算し、各差分量を測色値差分量記憶部８４に記憶させる。
【００６０】
濃度変動量設定部３６によって、Ｃ、Ｍ、Ｙ、Ｋの各色の網点％が１００％のときの濃度変動量が設定されると、目標測色値演算部８６は、基準測色値と測色値差分量とを用いて目標測色値を演算する。なお、濃度変動量設定部３６で設定された濃度変動量が濃度変動条件に基づく濃度変動量と異なる場合には、測色値差分量記憶部８４に記憶されている濃度変動量に対応した測色値差分量を補間した補間値を用いて目標分光濃度を演算すればよい。
【００６１】
次いで、印刷予測プロファイル作成部４０は、目標測色値から印刷予測プロファイル２０を作成する。
【００６２】
ところで、上記の各説明では、ユーザによって予め規定された基準濃度からの濃度変更に対応した印刷予測プロファイル２０を求めるようにしているが、印刷機１４で印刷可能なＣ、Ｍ、Ｙ、Ｋの最大濃度と最小濃度との間の中間濃度を基準濃度として設定し、この中間濃度を基準として作成した基準カラーチャート及び変動カラーチャートに基づいて印刷予測プロファイル２０を作成するようにしてもよい。なお、中間濃度は、最大濃度と最小濃度との平均値、あるいは、最大濃度と最小濃度との間の任意の濃度として設定することができる。
【００６３】
また、印刷機１４により作成される印刷物Ｐ１の色は、印刷に使用する用紙、インキ、ドットゲイン等の印刷条件によって変動するため、色変換装置１６では、これらの印刷条件の変更を考慮した色変換処理を行うことが望ましい。
【００６４】
図１１は、色変換装置１６の一部を構成し、ＩＣＣに基づいてプロファイル作成装置２４で作成される印刷予測プロファイル２０を用いて、画像データＣ、Ｍ、Ｙ、Ｋを測色値Ｘ、Ｙ、Ｚ等に変換する色変換モジュール８７を示す。色変換モジュール８７は、画像データＣ、Ｍ、Ｙ、Ｋを、ドットゲインの印刷条件を反映した印刷予測プロファイルに従った画像データＣ、Ｍ、Ｙ、Ｋに変換する入力側１次元ＬＵＴ（ルックアップテーブル）８８と、画像データＣ、Ｍ、Ｙ、Ｋを、インキの印刷条件を反映した印刷予測プロファイルに従った測色値Ｘ、Ｙ、Ｚ等に変換する４次元ＬＵＴ９０と、測色値Ｘ、Ｙ、Ｚ等を、印刷予測プロファイルに従った所望の測色値Ｘ、Ｙ、Ｚ等に変換する出力側１次元ＬＵＴ９２と、測色値Ｘ、Ｙ、Ｚ等を、印刷用紙の印刷条件を反映した印刷予測プロファイルに従った測色値Ｘ、Ｙ、Ｚ等に変換する測色値変換部９４とから構成される。
【００６５】
先ず、印刷用紙を変更する場合について説明する。
【００６６】
ＩＣＣの仕様に従った印刷予測プロファイルの４次元ＬＵＴ９０から出力される測色値は、印刷用紙が基準白色に等しくなるようにした相対値で表される。すなわち、４次元ＬＵＴ９０は、測色値Ｘ、Ｙ、Ｚの場合、印刷用紙（Ｃ＝Ｍ＝Ｙ＝Ｋ＝０）の画像データＣ、Ｍ、Ｙ、Ｋを、基準光源（Ｄ５０光源）の測色値Ｘ、Ｙ、Ｚとなるように、測色値Ｌ*、ａ*、ｂ*の場合、印刷用紙（Ｃ＝Ｍ＝Ｙ＝Ｋ＝０）の画像データＣ、Ｍ、Ｙ、Ｋを、測色値Ｌ*＝１００、ａ*＝ｂ*＝０となるように変換するよう規定されている。
【００６７】
そこで、測色値変換部９４は、プロファイル作成装置２４で作成される印刷予測プロファイルである印刷用紙の測色値Ｘ、Ｙ、Ｚ等（色情報）に従い、前記「相対値」を使用する印刷用紙に応じた「絶対値」に変換する。具体的には、例えば、基準光源（Ｄ５０光源）下における印刷物の絶対測色値は、出力側１次元ＬＵＴ９２から供給される相対測色値と、印刷予測プロファイルである基準光源（Ｄ５０光源）下の印刷用紙の用紙測色値と、基準光源（Ｄ５０光源）の光源測色値とを用いて、
絶対測色値＝相対測色値×用紙測色値÷光源測色値
として求められる。なお、測色値変換部９４に入力される測色値が相対値の測色値Ｌ*、ａ*、ｂ*の場合、相対値の測色値Ｘ、Ｙ、Ｚに変換してから、上式に従い絶対値の測色値Ｘ、Ｙ、Ｚへの変換が行われる。
【００６８】
この場合、使用するインキやドットゲインが変わらないとき、使用する印刷用紙の測色値Ｘ、Ｙ、Ｚ等を印刷予測プロファイルとして与えるだけで、カラーチャートＣ１を印刷することなく、印刷用紙に応じた測色値Ｘ、Ｙ、Ｚ等を得ることができる。なお、ＩＣＣでは、印刷用紙の測色値をメディア白色点タグとして与えるように規定されている。
【００６９】
次に、ドットゲインが変動する場合について説明する。
【００７０】
ドットゲインは、印刷機１４を構成するブランケットの劣化や交換により変動し、また、印刷機１４の温度、湿度によっても変動する。使用するインキが変わらないとき、ドットゲインの変動分を入力側１次元ＬＵＴ８８に反映させることで、ドットゲインの変動を考慮した画像データＣ、Ｍ、Ｙ、Ｋを得ることができる。
【００７１】
そこで、プロファイル作成装置２４では、カラーチャートＣ１における画像データＣ、Ｍ、Ｙ、Ｋの１つと、測色値Ｘ、Ｙ、Ｚ等の１つとの関係に注目し、ドットゲインの変動後のカラーチャートＣ１を印刷して測色することにより、ドットゲインの変動後の画像データＣ、Ｍ、Ｙ、Ｋを印刷予測プロファイルとして作成し、この印刷予測プロファイルを用いて入力側１次元ＬＵＴ８８を修正する。
【００７２】
図１２は、例えば、画像データＣの網点％と測色値Ｘとのドットゲイン変動前後の関係を示す。実線はドットゲインの変動前の関係、点線はドットゲインの変更後の関係である。網点％が０％及び１００％では変動が生じない。なお、画像データＣ、Ｍ、Ｙ、Ｋと測色値Ｘ、Ｙ、Ｚとは、変化が最も大きくなるもの同士を選択することにより、測定による誤差を最小限にすることができる。例えば、画像データＣと測色値Ｘ、画像データＭと測色値Ｙ、画像データＹ（Ｙｅｌｌｏｗ）と測色値Ｚ、画像データＫと測色値Ｙの関係を選択すると好適である。
【００７３】
例えば、図１２において、画像データＣの網点％が６０％のとき、ドットゲイン変動後の測色値Ｘを得ることのできるドットゲイン変動前の画像データＣの網点％は、６８％である。従って、入力される６０％の画像データＣを６８％の画像データＣとして出力するように、入力側１次元ＬＵＴ８８を修正することにより、ドットゲインの影響を考慮した画像データＣを得ることができる。図１３は、これらの関係に基づいて修正された入力側１次元ＬＵＴ８８を示す。なお、実線は、ドットゲイン変動前のＣの入力側１次元ＬＵＴ８８を表し、点線は、ドットゲイン変動後のＣの入力側１次元ＬＵＴ８８を表す。
【００７４】
次に、使用するインキを変更する場合について説明する。
【００７５】
プロファイル作成装置２４は、印刷機１４を基準濃度条件に設定してカラーチャートＣ１を作成し、測色計によりカラーチャートＣ１の測色値、例えば、測色値Ｘ、Ｙ、Ｚを測定する。そして、カラーチャートＣ１の画像データＣ、Ｍ、Ｙ、Ｋに対する測色値Ｘ１、Ｙ１、Ｚ１の関係を印刷予測プロファイルとして求める。なお、この関係は、図１０の実施形態の基準測色値記憶部７８に記憶されているものを用いることができる。次いで、前記基準濃度条件からインキのみを変更した後、同様にして、カラーチャートＣ１の画像データＣ、Ｍ、Ｙ、Ｋに対する測色値Ｘ２、Ｙ２、Ｚ２の関係を印刷予測プロファイルとして求める。
【００７６】
次いで、これらの測色値Ｘ１、Ｙ１、Ｚ１及びＸ２、Ｙ２、Ｚ２の差分量ΔＸ、ΔＹ、ΔＺを求め、この差分量ΔＸ、ΔＹ、ΔＺと画像データＣ、Ｍ、Ｙ、Ｋとの関係を差分ルックアップテーブルとする。プロファイル作成装置２４は、前記差分ルックアップテーブルを用いて、所定の濃度変動条件に対して設定されている印刷予測プロファイルを修正し、修正された印刷予測プロファイルを用いて、画像データＣ、Ｍ、Ｙ、Ｋを測色値Ｘ、Ｙ、Ｚに変換する４次元ＬＵＴ９０を作成する。なお、印刷予測プロファイルを修正するのではなく、既に作成されている基準濃度条件に対する４次元ＬＵＴ９０の出力値である測色値Ｘ、Ｙ、Ｚを修正するようにしてもよい。
【００７７】
このようにして４次元ＬＵＴ９０を作成することにより、必要最小限のカラーチャートＣ１を印刷して測色するだけで、所望の４次元ＬＵＴ９０を得ることができる。また、インキ及び印刷用紙の両方を変更して差分量ΔＸ、ΔＹ、ΔＺを求めることにより、印刷用紙及びインキの両方を考慮した４次元ＬＵＴ９０を得ることができる。
【００７８】
なお、測色計によって測定されるカラーチャートＣ１の測色値は、理想的には、図１４の点線で示すように、濃度変動に対して単調に変化するはずであるが、カラーチャートＣ１の印刷状態のばらつきや、測色誤差の影響により、図１４の実線で示すように、大きく変動した値として測定されてしまうことがある。同様に、測色値差分量演算部８２により演算された差分量についても、図１５の点線で示すように、濃度変動に対して単調に変化するはずであるにも拘わらず、図１２の実線で示すように、大きく変動した値として測定されてしまうことがある。
【００７９】
そこで、これらの測色値又は差分量に対してスムージング処理を施し、基準測色値記憶部７８及び濃度変動時測色値記憶部８０、又は、測色値差分量記憶部８４に各測定データを記憶させておくと好適である。スムージング処理としては、濃度変動方向に隣接する測色値又は差分量を平均化する方法、単調変化から大きく外れている部分のみを、隣接する測色値又は差分量で補間する方法等を採用することができる。
【００８０】
図２に示す実施形態における分光反射率又は分光反射率差分量、図８に示す実施形態における分光濃度又は分光濃度差分量、図９に示す実施形態における測色濃度又は測色濃度差分量に対しても、同様にしてスムージング処理を施すと好適である。分光反射率、分光反射率差分量、分光濃度、分光濃度差分量に対しては、波長毎にスムージング処理を施す。
【００８１】
なお、本発明は、上述した実施形態に限定されるものではなく、本発明の主旨を逸脱しない範囲で自由に変更できることは勿論である。
【００８２】
例えば、印刷色予測システム１０では、プリンタ１８を用いてプルーフＰ２を作成するよう構成しているが、プリンタ１８に代えて、例えば、カラーモニタにプルーフＰ２を表示するようにしてもよい。この場合、プロファイル作成装置２４は、カラーモニタに表示させたカラーチャートＣ２を測色することでモニタプロファイルを作成し、このモニタプロファイルを色変換装置１６に設定することになる。
【００８３】
また、Ｃ、Ｍ、Ｙ、Ｋの４色に対する印刷予測プロファイル２０を作成する場合に限られるものではなく、２色以上の任意の色数に対する印刷予測プロファイル２０を作成する場合にも適用することができる。
【図面の簡単な説明】
【００８４】
【図１】本実施形態の印刷色予測システムの構成図である。
【図２】図１に示すプロファイル作成装置の構成ブロック図である。
【図３】印刷予測プロファイルの作成フローチャートである。
【図４】基準濃度条件及び濃度変動条件における分光反射率の説明図である。
【図５】基準濃度条件及び濃度変動条件における分光反射率の説明図である。
【図６】プリンタプロファイルの作成フローチャートである。
【図７】プルーフの作成フローチャートである。
【図８】図１に示すプロファイル作成装置の他の実施形態の構成ブロック図である。
【図９】図１に示すプロファイル作成装置の他の実施形態の構成ブロック図である。
【図１０】図１に示すプロファイル作成装置の他の実施形態の構成ブロック図である。
【図１１】印刷予測プロファイルのモジュール構成のブロック図である。
【図１２】画像データＣの網点％と測色値Ｘとのドットゲイン変動前後の関係説明図である。
【図１３】修正されたドットゲイン変更１次元ＬＵＴの説明図である。
【図１４】濃度変動量と測色値との関係説明図である。
【図１５】濃度変動量と測色値差分量との関係説明図である。
【符号の説明】
【００８５】
１０…印刷色予測システム
１２…編集装置
１４…印刷機
１６…色変換装置
１８…プリンタ
２０…印刷予測プロファイル
２２…プリンタプロファイル
２４、４６、６２、７６…プロファイル作成装置
２６…分光反射率測定器
２８…基準分光反射率記憶部
３０…濃度変動時分光反射率記憶部
３２…分光反射率差分量演算部
３４…分光反射率差分量記憶部
３６…濃度変動量設定部
３８…目標分光反射率演算部
４０…印刷予測プロファイル作成部
４２、７４…測色計
４４…プリンタプロファイル作成部
４８…分光濃度計
５０…基準分光濃度記憶部
５２…濃度変動時分光濃度記憶部
５４…分光濃度差分量演算部
５６…分光濃度差分量記憶部
５８…目標分光濃度演算部
６０…測色濃度計
６４…基準測色濃度記憶部
６６…濃度変動時測色濃度記憶部
６８…測色濃度差分量演算部
７０…測色濃度差分量記憶部
７２…目標測色濃度演算部
７８…基準測色値記憶部
８０…濃度変動時測色値記憶部
８２…測色値差分量演算部
８４…測色値差分量記憶部
８６…目標測色値演算部
８７…色変換モジュール
８８…入力側１次元ＬＵＴ
９０…４次元ＬＵＴ
９２…出力側１次元ＬＵＴ
９４…測色値変換部
Ｃ１、Ｃ２…カラーチャート
Ｐ１…印刷物
Ｐ２…プルーフ
【図１】
2008312198.tif 000003
【図２】
2008312198.tif 000004
【図３】
2008312198.tif 000005
【図４】
2008312198.tif 000006
【図５】
2008312198.tif 000007
【図６】
2008312198.tif 000008
【図７】
2008312198.tif 000009
【図８】
2008312198.tif 000010
【図９】
2008312198.tif 000011
【図１０】
2008312198.tif 000012
【図１１】
2008312198.tif 000013
【図１２】
2008312198.tif 000014
【図１３】
2008312198.tif 000015
【図１４】
2008312198.tif 000016
【図１５】
2008312198.tif 000017